(57)【要約】【課題】入力映像信号のフォーマットを総合的に判定する共に、回路規模を抑制する。【解決手段】映像信号のフォーマット毎に、該フォーマットを特定するための複数の種類の特徴情報に対して、特徴情報の値を、該特徴情報の基準値との差に応じて段階分けし、基準値との差が大きい段階ほど小さい類似度を付与する。入力映像信号の特徴情報を抽出し、各フォーマットについて、特徴情報毎の類似度を得る。これらの類似度をフォーマット毎に統合して統合類似度を得、統合類似度えお用いて入力映像信号のフォーマットを判定する。特徴情報の値の段階は、特徴情報の基準値に対して設けられた許容範囲内では複数ある。【選択図】図２
2008107474.tif 000002
【特許請求の範囲】
【請求項１】
映像信号のフォーマット毎に、該フォーマットを特定するための複数の種類の特徴情報に対して、
該特徴情報の基準値に対する許容範囲を設け、
前記特徴情報の値と前記基準値との差の大きさに応じて分けられた段階であって、前記許容範囲内においては複数ある段階に、前記特徴情報の値を段階分けし、
前記基準値との差が大きいほど小さくなる特徴情報類似度を各前記段階にそれぞれ付与し、
入力映像信号および／またはその付属信号から、前記複数の種類の特徴情報を抽出して入力信号特徴情報値を得、
各前記フォーマットについて、特徴情報の種類毎に、前記入力信号特徴情報値が属する前記段階を特定することによって前記特徴情報類似度を取得し、
フォーマット毎に、各前記特徴情報類似度を統合して統合類似度を得、
該統合類似度を用いて前記入力信号のフォーマットを判定することを特徴とするフォーマット判定方法。
【請求項２】
フォーマット毎に前記特徴情報類似度を統合する際に、各前記特徴情報類似度に、該種類の特徴情報がそのフォーマットについての重要度に応じて決められた重み付け係数をそれぞれ乗算して得た値の総和を算出して前記統合類似度を得、
該統合類似度が最も大きいフォーマットを前記入力映像信号のフォーマットとして判定することを特徴とする請求項１に記載のフォーマット判定方法。
【請求項３】
フォーマット毎に、各前記特徴情報類似度を用いて、該各特徴情報類似度のうちの最も小さい特徴情報類似度を示しうる一致レベルを副統合類似度として算出し、
前記統合類似度が最も大きいフォーマットが複数ある場合において、該複数のフォーマットのうちの、前記副統合類似度が最も大きいフォーマットを前記入力映像信号のフォーマットとして判定することを特徴とする請求項２に記載のフォーマット判定方法。
【請求項４】
フォーマット毎に各前記特徴情報類似度のうちの最も小さい特徴情報類似度を選出して前記一致レベルとして取得することを特徴とする請求項３に記載のフォーマット判定方法。
【請求項５】
フォーマット毎に前記特徴情報類似度を統合する際に、各前記特徴情報類似度を用いて、該各特徴情報類似度のうちの最も小さい特徴情報類似度を示しうる一致レベルを前記統合類似度として算出し、
該統合類似度が最も大きいフォーマットを前記入力映像信号のフォーマットとして判定することを特徴とする請求項１に記載のフォーマット判定方法。
【請求項６】
フォーマット毎に各前記特徴情報類似度のうちの最も小さい特徴情報類似度を選出して前記一致レベルとして取得することを特徴とする請求項５に記載のフォーマット判定方法。
【請求項７】
フォーマット毎に、各前記特徴情報類似度に、該種類の特徴情報がそのフォーマットについての重要度に応じて決められた重み付け係数をそれぞれ乗算して得た値の総和を副統合類似度として取得し、
前記統合類似度が最も大きいフォーマットが複数ある場合において、該複数のフォーマットのうちの、前記副統合類似度が最も大きいフォーマットを前記入力映像信号のフォーマットとして判定することを特徴とする請求項５または６に記載のフォーマット判定方法。
【請求項８】
基準値と一致するか否かの値のみをとり得る特徴情報に対して、
前記基準値と一致する場合には、類似度の最大値を付与し、
前記基準値と一致しない場合には、類似度の最小値を付与することを特徴とする請求項１から７のいずれか１項に記載のフォーマット判定方法。
【請求項９】
映像信号のフォーマットを特定するための複数の種類の特徴情報毎に該特徴情報の基準値との差の大きさに応じて分けられた段階であって、前記基準値に対して設けられた許容範囲内においては複数ある段階に該特徴情報の値を段階分けするための特徴情報範囲値をフォーマット毎に記憶した記憶部と、
入力映像信号および／またはその付属信号から前記複数の種類の特徴情報を抽出して入力信号特徴情報値を得る特徴情報抽出部と、
前記基準値との差が大きい段階ほど小さくなる特徴情報類似度を付与するものであって、前記記憶部に記憶された特徴情報範囲値を参照して、各前記フォーマットについて、前記特徴情報の種類毎に、前記入力信号特徴情報値が属する前記段階を特定して前記特徴情報類似度を付与する特徴情報類似度付与部と、
フォーマット毎に、各前記特徴情報類似度を統合して統合類似度を得る第１の類似度統合部と、
該統合類似度を用いて前記入力信号のフォーマットを判定する判定部とを備えることを特徴とするフォーマット判定装置。
【請求項１０】
前記第１の類似度統合部は、フォーマット毎に、各前記特徴情報類似度に、該種類の特徴情報がそのフォーマットについての重要度に応じて決められた重み付け係数をそれぞれ乗算して得た値の総和を算出して前記統合類似度を得、
前記判定部は、該統合類似度が最も大きいフォーマットを前記入力映像信号のフォーマットとして判定することを特徴とする請求項９に記載のフォーマット判定装置。
【請求項１１】
フォーマット毎に、各前記特徴情報類似度を用いて、該各特徴情報類似度のうちの最も小さい特徴情報類似度を示しうる一致レベルを副統合類似度として算出する第２の類似度統合部をさらに備え、
前記判定部は、前記統合類似度が最も大きいフォーマットが複数ある場合において、該複数のフォーマットのうちの、前記副統合類似度が最も大きいフォーマットを前記入力映像信号のフォーマットとして判定することを特徴とする請求項１０に記載のフォーマット判定装置。
【請求項１２】
前記第２の類似度統合部は、フォーマット毎に各前記特徴情報類似度のうちの最も小さい特徴情報類似度を選出して前記一致レベルとして取得することを特徴とする請求項１１に記載のフォーマット判定装置。
【請求項１３】
前記第１の類似度統合部は、フォーマット毎に、各前記特徴情報類似度を用いて、該各特徴情報類似度のうちの最も小さい特徴情報類似度を示しうる一致レベルを前記統合類似度として算出し、
前記判定部は、該統合類似度が最も大きいフォーマットを前記入力映像信号のフォーマットとして判定することを特徴とする請求項９に記載のフォーマット判定装置。
【請求項１４】
前記第１の類似度統合部は、フォーマット毎に各前記特徴情報類似度のうちの最も小さい特徴情報類似度を選出して前記一致レベルとして取得することを特徴とする請求項１３に記載のフォーマット判定装置。
【請求項１５】
フォーマット毎に、各前記特徴情報類似度に、該種類の特徴情報がそのフォーマットについての重要度に応じて決められた重み付け係数をそれぞれ乗算して得た値の総和を副統合類似度として取得する第２の類似度統合部をさらに備え、
前記判定部は、前記統合類似度が最も大きいフォーマットが複数ある場合において、該複数のフォーマットのうちの、前記副統合類似度が最も大きいフォーマットを前記入力映像信号のフォーマットとして判定することを特徴とする請求項１３または１４に記載のフォーマット判定装置。
【請求項１６】
前記記憶部は、基準値と一致するか否かの値のみをとり得る特徴情報に対して前記基準値のみを記憶しており、
前記特徴情報類似度付与部は、入力映像信号の該特徴情報の値が前記基準値と一致する場合には類似度の最大値を付与し、
前記特徴情報の値が前記基準値と一致しない場合には類似度の最小値を付与することを特徴とする請求項９から１５のいずれか１項に記載のフォーマット判定装置。
【発明の詳細な説明】
【技術分野】
【０００１】
本発明は、フォーマット判定、具体的には入力される映像信号のフォーマットを判定する技術に関する。
【背景技術】
【０００２】
映像信号のフォーマットについて様々な規格が定められており、映像表示装置には、これら様々なフォーマットの映像信号が入力される。入力映像信号を最適に再生できるように、表示装置においてそのフォーマットを自動的に判定し、判定したフォーマットに適した信号処理を行って再生することがなされている。
【０００３】
特許文献１に開示された手法は、入力映像信号の垂直周波数や同期極性などの特性を、予め用意された映像信号のフォーマットのこれらの特性の基準値と順次比較し、基準値と一致するか否かによって入力映像信号のフォーマットを判定する。
【０００４】
特許文献２に開示された手法は、垂直同期間隔の値が近い複数のフォーマット（表示モード）が１つのグループになるように、垂直同期間隔の値の範囲でフォーマットをグループ分けし、入力映像信号の垂直同期間隔がいずれのグループの垂直同期間隔の範囲に属するかを特定する。そして、入力映像信号の極性と、特定されたグループ内の各フォーマットの極性とを比較し、入力映像信号の特性と一致する特性を有するフォーマットを入力映像信号のフォーマットとして判定する。
【０００５】
近年、映像信号のフォーマットが多様化し、入力映像信号の判定には多種類の特性が必要とされるようになっている。また、規格によって決められたフォーマットの特性について、基準値に対してある程度の差が許容される場合がある。このような背景において、入力される映像信号のある特性が、所定のフォーマットまたはフォーマットグループについて良い比較結果を得たものの、他の特性が別のフォーマットまたはフォーマットグループについて良い比較結果が得られているような状況が生じる。上記２つの手法は、入力映像信号の特性を順次比較しているので、このような状況に対応しきれず、フォーマットの判定ができないまたは誤判定してしまう問題が生じ得る。
【０００６】
特許文献３には、各種の特性を総合的に用いて入力映像信号のフォーマットを判定する手法が開示されている。図１２に示すように、この手法では、同期特徴検出回路（１，２，３）が水平および垂直同期信号を周波数、形態、極性等の特性別に検出して分類する。映像特徴検出回路（４，５）が映像信号をブランキング期間、位相等の特性別に検出し分類する。各重み付け乗算回路７（７ａ〜７ｅ）が同期特徴検出回路と映像特徴検出回路で検出し分類されたそれぞれの特性を所定の特性と比較し、近似の度合いにより重み付けを行い、類似度加算回路８がそれぞれの特性毎の近似の度合いに基づき類似度を算出する。この類似度に基づき判別回路６が予め定めた判別要素と比較し比較した判別結果を出力する。判別結果により多種多様な映像信号の特性を総合的に判別とする。
【特許文献１】特開２００３−２３３３６５号公報
【特許文献２】ＷＯ１９９８／０２０４７６号公報
【特許文献３】特開平１０−３３３６２７号公報
【発明の開示】
【発明が解決しようとする課題】
【０００７】
特許文献３に開示されて手法において、判別回路６では、類似度の大小評価によって入力映像信号のフォーマットを判定するため、類似度加算回路８での各入力が規格化されている必要がある。
【０００８】
ここで同期周波数検出回路１から出力される垂直周波数の検出結果について考える。たとえば、垂直周波数が５０Ｈｚから２．５Ｈｚシフトした入力映像信号Ａの場合には、垂直周波数が５０Ｈｚのフォーマット（フォーマット１とする）に対して同期周波数検出回路１は２．５Ｈｚを出力する。また、垂直周波数が８５Ｈｚから２．５Ｈｚシフトした入力映像信号Ｂの場合には、垂直周波数が８５Ｈｚのフォーマット（フォーマット２とする）に対して同期周波数検出回路１は同じく２．５Ｈｚを出力する。この２．５Ｈｚをそのまま類似度として使うと、垂直周波数においては映像信号Ａがフォーマット１に対する類似度と、映像信号Ｂがフォーマット２に対する類似度が同様となる。しかし、５０Ｈｚから２．５Ｈｚシフトした垂直周波数が５０Ｈｚに類似する程度と、８０Ｈｚからシフトした垂直周波数が８０Ｈｚに類似する程度が同じであるとは言えず、類似度を正確に捉えるために、類似度加算回路８にて類似度を加算する前に、重み付け乗算回路７において同期周波数検出回路１の出力に対して同期周波数検出回路１の出力を規格化する必要がある。
【０００９】
この規格化について下記の手法が考えられる。同じく垂直周波数を例にする。入力映像信号に対して、その垂直周波数が対象フォーマットの垂直周波数の基準値からシフトした量の、この基準値に対する割合を入力映像信号の類似度とする。たとえば、上述した入力映像信号Ａは、その垂直周波数がフォーマット１の垂直周波数の基準値５０Ｈｚに対して５％割合でシフトしており、映像信号Ｂの垂直周波数がフォーマット２の垂直周波数８０Ｈｚに対して３％の割合でシフトしているため、垂直周波数について映像信号Ａがフォーマット１に対する類似度が５％となり、映像信号Ｂがフォーマット２に対する類似度が３％となる。このような規格化処理を垂直周波数以外の他の各判別要素に対しても行った結果、類似度加算回路８に入力される各々の類似度が規格され、正確な判定が可能となる。
【００１０】
ところでこのような規格化は、基準値を用いた除算処理が必要となる。そのため、判定装置をハードワイヤ化すなわち判定に関わる処理をハードウェア回路で行おうとする場合には、回路規模が大きくなり、構造が煩雑になる。
【課題を解決するための手段】
【００１１】
本発明の一つの態様は、フォーマット判定方法である。この方法は、映像信号のフォーマット毎に、該フォーマットを特定するための複数の種類の特徴情報に対して、特徴情報の値を、該特徴情報の基準値との差の大きさ範囲に応じた段階に分けて、基準値との差が大きいほど小さくなる特徴情報類似度を各段階にそれぞれ付与する。入力映像信号および／またはその付属信号から、複数の種類の特徴情報を抽出して入力信号特徴情報値を得、各フォーマットについて、特徴情報の種類毎に、入力信号特徴情報値が属する段階を特定することによって特徴情報類似度を取得する。そして、フォーマット毎に、各特徴情報類似度を統合して統合類似度を得、該統合類似度を用いて入力信号のフォーマットを判定する。特徴情報の値が分けられた段階の数は、特徴情報の基準値に対して設けられた許容範囲内において複数ある。
【００１２】
なお、上記方法を装置やシステムとして表現したものも、本発明の態様として有効である。
【発明の効果】
【００１３】
本発明の技術によれば、回路規模を抑制しつつ、映像信号のフォーマットを総合的に判定することができる。
【発明を実施するための最良の形態】
【００１４】
以下、図面を参照して本発明の実施の形態について説明する。
図１は、本発明の実施の形態にかかる映像再生装置１００を示す。映像再生装置１００は、入力部１１０、フォーマット判定部１２０、再生処理部１９０を備える。入力部１１０は、映像信号をフォーマット判定部１２０と再生処理部１９０に入力し、フォーマット判定部１２０は、以下入力映像信号およびその付属信号から該映像信号のフォーマットを判定する。再生処理部１９０は、入力映像信号に対して、フォーマット判定部１２０により判定されたフォーマットに応じた処理を行って再生する。
【００１５】
図２は、映像再生装置１００におけるフォーマット判定部１２０を示す。フォーマット判定部１２０は、記憶部１３０と、特徴情報抽出部１４０と、類似度付与部１５０と、第１の類似度統合部１６０と、第２の類似度統合部１７０と、判定実行部１８０を備える。
【００１６】
特徴情報抽出部１４０は、入力部１１０からの入力映像信号およびその付属信号から該映像信号のフォーマットを特定するための特徴情報を抽出して入力信号特徴情報値を得る。本実施の形態では例として、付属信号の例として垂直周波数と水平周波数を、特徴情報種類の例として垂直周波数、水平周波数、ライン数、ブランキング期間を用いる。
【００１７】
記憶部１３０は、プリセットフォーマット特徴情報１３２と、重み付け係数１３４を記憶している。プリセットフォーマットは、映像再生装置１００により再生可能な複数のフォーマットであり、それらの特徴情報は予めプリセットフォーマット特徴情報として記憶部１３０に格納されている。
【００１８】
図３は、記憶部１３０に記憶されたデータの態様を示す。記憶部１３０において、フォーマット別にプリセットフォーマット特徴情報と重み付け係数が記憶されている。プリセットフォーマット特徴情報は、各種特徴情報の基準値とその許容範囲、許容範囲の１／２（許容範囲／２）、許容範囲の１／４（許容範囲／４）から構成され、重み付け係数は、当該種類の特徴情報は、フォーマットを判定するうえでの重要度に応じて予め決められた値である。
【００１９】
本実施の形態において、特徴情報として垂直周波数、水平周波数、ライン数、ブランキング期間を用いており、たとえばフォーマット１の垂直周波数について、その基準値Ｐａ（１）と、基準値Ｐａ（１）との差である許容範囲Ｒａ（１）、Ｒａ（１）／２、Ｒａ（１）／４がフォーマット１の垂直周波数の特徴情報である。同様に、フォーマット１の水平周波数、ライン数、ブランキング期間についての特徴情報も記憶されている。
【００２０】
このように、各プリセットフォーマットに対して、プリセットフォーマット特徴情報と重み付け係数が記憶部１３０に予め記憶されている。
【００２１】
類似度付与部１５０は、記憶部１３０に記憶されたプリセットフォーマット特徴情報１３２と、特徴情報抽出部１４０により得られた入力信号特徴情報値を用いて、プリセットフォーマット毎に、特徴情報の種類毎に類似度を付与する。ここで、類似度付与部１５０は、４つの類似度付与部１５０ａ〜１５０ｄを有し、それぞれが垂直周波数、水平周波数、ライン数、ブランキング期間についての類似度を付与する。
【００２２】
類似度付与部１５０ａ〜１５０ｄが、同じ構成を有するため、ここで類似度付与部１５０ａについてのみ詳細な説明をする。
【００２３】
図４は、類似度付与部１５０ａを示す。類似度付与部１５０ａは、３つの加算器１５３、３つの減算器１５４、６つのオペアンプ１５５を有する。１つのプリセットフォーマットについて、全ての加算器１５３と減算器１５４に垂直周波数の基準値が入力されると共に、３つの加算器１５３には垂直周波数の許容範囲、許容範囲／２、許容範囲／４がそれぞれ入力され、３つの減算器１５４には垂直周波数の許容範囲、許容範囲／２、許容範囲／４がそれぞれ入力される。その結果、１つのプリセットフォーマットについて、３つの加算器１５３によって、垂直周波数の「基準値＋許容範囲」、「基準値＋許容範囲／２」、「基準値＋許容範囲／４」が得られ、３つのオペアンプ１５５の反転端子にそれぞれ入力される。また、３つの減算器１５４によって、垂直周波数の「基準値−許容範囲／４」、「基準値−許容範囲／２」、「基準値−許容範囲」が得られ、他の３つのオペアンプ１５５の反転端子にそれぞれ入力される。なお、６つのオペアンプ１５５の非反転端子には、入力信号特徴情報値ここでは入力映像信号の垂直周波数がそれぞれ入力される。
【００２４】
オペアンプ１５５は、非反転端子と反転端子に入力された値の差分を得るものであり、それぞれのオペアンプ１５５から、プリセットフォーマットの垂直周波数の「基準値＋許容範囲」、「基準値＋許容範囲／２」、「基準値＋許容範囲／４」、「基準値−許容範囲／４」、「基準値−許容範囲／２」、「基準値−許容範囲」と、入力映像信号の垂直周波数との差分が出力される。
【００２５】
付与実行部１５８は、各オペアンプ１５５からの出力に基づいて入力映像信号の垂直周波数についてのプリセットフォーマットとの類似度Ａを付与する。図５は、この付与の詳細を示す。本実施の形態において、プリセットフォーマットの特徴情報の基準値との差の範囲に応じて特徴情報の値を複数の段階具体的には許容範囲内における複数ここでは２段階と、許容範囲外との３段階に分けており、付与実行部１５８は、入力信号特徴情報値と基準値との差が、「許容範囲」より大きい（段階０）、「許容範囲」以下「許容範囲／２」より大きい（段階１）、「許容範囲／２」以下「許容範囲／４」より大きい（段階２）、「許容範囲／４」以下（段階３）のそれぞれの場合において、基準値との差が大きい段階ほど高い類似度を付与する。ここでは例として、類似度を２ビットで表し、段階０〜段階３に対して、それぞれ「００」、「０１」、「１０」、「１１」の類似度を付与する。
【００２６】
同じように、類似度付与部１５０ｂ、類似度付与部１５０ｃ、類似度付与部１５０ｄにより入力映像信号の水平周波数、ライン数、ブランキング期間のそれぞれについてプリセットフォーマットとの類似度Ｂ、Ｃ、Ｄも付与される。
【００２７】
このようにして、入力映像信号と各プリセットフォーマットとのそれぞれの類似度が、各種の特徴情報について付与される。
【００２８】
図２に戻る。類似度付与部１５０により得られたプリセットフォーマット毎の類似度Ａ、Ｂ、Ｃ、Ｄは、第１の類似度統合部１６０と第２の類似度統合部１７０に入力される。
【００２９】
第１の類似度統合部１６０は、プリセットフォーマット毎に、各特徴情報の類似度に、この特徴情報の重み付け係数を乗算して得た値の総和を算出するものであり、４つの乗算器１６２ａ〜１６２ｄと、これらの乗算器の出力の総和を求める加算器１６４を有する。第１の類似度統合部１６０は、各プリセットフォーマットについてこの総和を求めて、それぞれのプリセットフォーマットとの統合類似度として判定実行部１８０に出力する。
【００３０】
第２の類似度統合部１７０は、プリセットフォーマット毎に、類似度Ａ〜Ｄから一致レベルを副統合類似度として求めて判定実行部１８０に供する。ここで、一致レベルは、類似度Ａ〜Ｄのうちの最も小さい類似度を示しうるものであり、本実施の形態では、図６に示す構成で一致レベルｗを求める。
【００３１】
図６は、第２の類似度統合部１７０を示す。第２の類似度統合部１７０は、ｗ１、ｗ２、ｗ３の３ビットから構成される一致レベルを求めるものである。
【００３２】
ｗ１は、４つの論理積回路１７１ａ〜１７１ｄと、論理積回路１７２により求められる。図示のように、２ビットの類似度Ａの上位ビットおよび下位ビットが、論理積回路１７１ａに入力され、論理積が求められて論理積回路１７２に入力される。同様に、論理積回路１７１ｂ〜１７１ｄによって、類似度Ｂ、Ｃ、Ｄのそれぞれについても、その上位ビットと下位ビットの論理積が求められて、論理積回路１７２に入力される。すなわち、類似度Ａ、Ｂ、Ｃ、Ｄの各ビットのうち、１つでも０ビットがあれば、ｗ１が０となる。言い換えれば、類似度Ａ、Ｂ、Ｃ、Ｄの全てが「１１」であるときに限り、ｗ１が１となる。
【００３３】
ｗ２は、論理積回路１７４により求められる。論理積回路１７４には、各類似度Ａ、Ｂ、Ｃ、Ｄの上位ビットが入力されるため、各類似度Ａ、Ｂ、Ｃ、Ｄの上位ビットのうち、１つでも０ビットがあれば、ｗ２が０となる。すなわち、類似度Ａ、Ｂ、Ｃ、Ｄが「１１」または「１０」のいずれであるときに限り、ｗ２が１となる。
【００３４】
ｗ３は、４つの論理和回路１７５ａ〜１７５ｄと、論理積回路１７６により求められる。図示のように、２ビットの類似度Ａの上位ビットおよび下位ビットが、論理和回路１７５ａに入力され、論理和が求められて論理積回路１７６に入力される。同様に、論理和回路１７５ｂ〜１７５ｄによって、類似度Ｂ、Ｃ、Ｄのそれぞれについても、その上位ビットと下位ビットの論理和が求められて、論理積回路１７６に入力される。すなわち、類似度Ａ、Ｂ、Ｃ、Ｄのうち、１つでも「００」の類似度があれば、ｗ３が０となる。言い換えれば、類似度Ａ、Ｂ、Ｃ、Ｄのいずれも「００」ではなければ、ｗ３が１となる。
【００３５】
一致レベルｗは、各プリセットフォーマットについて求められ、この一致レベルｗは、図７に示すように、下のような性質を持つ。
１．一致レベルｗの１ビット目ｗ１が１であれば、このフォーマットについて、入力映像信号の類似度Ａ、Ｂ、Ｃ、Ｄのすべてが「１１」である。すなわち、各種の特徴情報について、「（基準範囲−許容範囲）〜（基準値＋許容範囲／４）」の段階３で一致する。以下この一致レベルを「許容範囲の１／４で一致する」という。
【００３６】
２．２ビット目のビットｗ２が１であれば、このフォーマットについて、入力映像信号の類似度Ａ、Ｂ、Ｃ、Ｄのすべてが「１０」または「１１」のいずれである。すなわち、各種の特徴情報について、段階３または段階２で一致する。以下この一致レベルを「許容範囲の１／２で一致する」。
【００３７】
３．最下位ビットｗ３が１であれば、このフォーマットについて、入力映像信号の類似度Ａ、Ｂ、Ｃ、Ｄのいずれも「００」ではない。すなわち、各種の特徴情報について、段階３、段階２、段階１のいずれかで一致する。以下この一致レベルを「許容範囲内で一致する」という。
【００３８】
４．最下位ビットｗ３が０であれば、このフォーマットについて、入力映像信号の類似度Ａ、Ｂ、Ｃ、Ｄのすべてが「００」である。すなわち、各種の特徴情報について、「許容範囲外」の段階０で一致する。以下この一致レベルを「一致しない」という。
【００３９】
この性質から次のことが分かる。類似度Ａ、Ｂ、Ｃ、Ｄのうちの最も小さい類似度が「１１」である場合すなわちすべての類似度が「１１」である場合には一致レベルｗは「１１１」となる。類似度Ａ、Ｂ、Ｃ、Ｄのうちの最も小さい類似度が「１０」である場合には一致レベルｗは「０１１」となる。類似度Ａ、Ｂ、Ｃ、Ｄのうちの最も小さい類似度が「０１」である場合には一致レベルｗは「００１」となる。同じように、類似度Ａ、Ｂ、Ｃ、Ｄのうちの最も小さい類似度が「００」である場合には一致レベルｗは「０００」となる。
【００４０】
すなわち、一致レベルｗは、このプリセットフォーマットについての４つの類似度のうちの最も小さい類似度を示すことができる。
【００４１】
判定実行部１８０は、第１の類似度統合部により得られた統合類似度と、１６０第２の類似度統合部１７０により副統合類似度として得られた一致レベルｗを用いて、入力映像信号のフォーマットを判定する。具体的には、統合類似度が最も大きいプリセットフォーマットを入力映像信号のフォーマットとして判定するが、最も大きい統合類似度が複数ある場合には、さらにこれらのフォーマットのうちの、一致レベルｗが最も大きいプリセットフォーマットを入力映像信号のフォーマットとして判定する。一致レベルｗに基づいた判定は、次のように行われる。
【００４２】
まず、各一致レベルｗの最上位ビットｗ１を参照し、ｗ１が１である一致レベルｗがあれば、この一致レベルｗの対応するプリセットフォーマットを入力映像信号のフォーマットとして判定する。ｗ１が１である一致レベルｗが無ければ、２ビット目ｗ２を参照し、ｗ２が１である一致レベルｗがあれば、この一致レベルｗの対応するプリセットフォーマットを入力映像信号のフォーマットとして判定する。さらに、ｗ２が１である一致レベルｗも無ければ、再下位ビットｗ３を参照し、ｗ３が１である一致レベルｗの対応するプリセットフォーマットを入力映像信号のフォーマットとして判定する。
【００４３】
判定実行部１８０は、このようにして入力映像信号のフォーマットを判定し、それを示す情報を再生処理部１９０に出力する。
【００４４】
再生処理部１９０は、判定実行部１８０により判定されたフォーマットに応じた処理を入力映像信号に対して行って再生する。
【００４５】
このように、本実施の形態の映像再生装置１００は、プリセットフォーマット毎に、特徴情報の値を、該特徴情報の基準値およびその許容範囲を基準に段階分けし、各段階に対して類似度を付与する。各プリセットフォーマットについて、入力映像信号の各種の特徴情報の値が属する段階を特定して類似度を得る。こうすることによって、類似度付与部１５０と、第１の類似度統合部１６０、第２の類似度統合部１７０は、入力映像信号のフォーマットを判定するための統合類似度および副統合類似度を論理演算回路のみによって得ることができ、各特性を用いて総合的にフォーマット判定をすると共に、回路規模を小さく抑制することができる。
【００４６】
また、段階分けについては、各種類の特徴情報に対して、その基準値に対して設けられた許容範囲内においては複数の段階を設けているので、フォーマット判定が精度良くできる。
【００４７】
さらに、基準値との差が許容範囲を超えた場合について「許容範囲外」を示す１つの段階「段階０」のみを設けることによって、無駄に段階数が多くなることを防ぎ、回路規模の抑制にも功を奏することができる。
【００４８】
また、第２の類似度統合部１７０は、上述した構成の一致レベルｗを、類似度Ａ、Ｂ、Ｃ、Ｄのうちの最も小さい類似度を示しうる副統合類似度として求めている。これによって、判定実行部１８０は、副統合類似度に基づいた判定を行うために最も大きい一致レベルを特定する際に、一致レベルｗの上位ビットから順次参照すればよく、判定が簡単である。
【００４９】
図８は、本発明の第２の実施の形態にかかる映像再生装置２００を示す。映像再生装置２００は、入力部１１０、フォーマット判定部２２０、再生処理部１９０を備える。ここで、図１に示す映像再生装置１００における機能ブロックと同じ構成を有する部分（入力部１１０、再生処理部１９０）については同じ符号を付与しており、それらの詳細な説明を省略する。
【００５０】
図９は、図８に示す映像再生装置２００におけるフォーマット判定部２２０を示す。フォーマット判定部２２０において、図２に示すフォーマット判定部１２０の第２の類似度統合部１７０と同じ機能を担う最小類似度選択部２７０以外、他の機能ブロックがフォーマット判定部１２０の相対応する構成と同じであるため、ここで最小類似度選択部２７０のみについて説明する。
【００５１】
図１０は、最小類似度選択部２７０を示す。最小類似度選択部２７０は、３つの小値選択回路から構成され、それぞれが小値選択回路２７２、小値選択回路２７４、小値選択回路２７６である。
【００５２】
類似度Ａと類似度Ｂは小値選択回路２７２に入力され、小さいほうが選択され、小値選択回路２７２から出力される。  類似度Ｃと類似度Ｄは小値選択回路２７４に入力され、小さいほうが選択され、小値選択回路２７４から出力される。
【００５３】
小値選択回路２７２と小値選択回路２７４の出力が小値選択回路２７６に入力され、小さいほうが選択されて出力される。
【００５４】
すなわち、最小類似度選択部２７０により、類似度Ａ、Ｂ、Ｃ、Ｄのうちの最も小さい類似度（最小類似度）が選出される。
【００５５】
小値選択回路２７２、小値選択回路２７４、小値選択回路２７６は、２つの入力から小値を選択できればいかなる回路であってもよく、ここでは図１１に示す回路を用いる。なお、図１１は、小値選択回路２７２を例としているが、小値選択回路２７４と小値選択回路２７６についても同じである。
【００５６】
図１１に示すように、小値選択回路２７２には、類似度Ａの２ビットと、類似度Ｂの２ビットが入力され、２ビットの出力（出力１と出力２）が得られる。出力１は、類似度Ａの上位ビット（１または０）と類似度Ｂの上位ビット（１または０）の論理積であるため、この２つの上位ビットのうちの小さい方である。出力２は、上位ビットが小さい方の類似度の下位ビットである。すなわち、「出力１，出力２」は、類似度Ａと類似度Ｂのうちの小さい方である。
【００５７】
判定実行部１８０は、第１の類似度統合部１６０から出力された統合類似度と、最小類似度選択部２７０から出力された最小類似度を用いて、入力映像信号のフォーマットを判定する。具体的には、統合類似度が最も大きいプリセットフォーマットを入力映像信号のフォーマットとして判定するが、最も大きい統合類似度が複数ある場合には、さらにこれらのフォーマットのうちの、最小類似度選択部２７０により得られた最小類似度が最も大きいプリセットフォーマットを入力映像信号のフォーマットとして判定する。
【００５８】
このように本発明の第２の実施の形態の映像再生装置２００も、フォーマットを総合的に判定すると共に、回路規模を小さく抑制することができる。
【００５９】
以上、実施の形態をもとに本発明を説明した。実施の形態は例示であり、本発明の主旨から逸脱しない限り、さまざまな変更、増減を加えてもよい。これらの変更、増減が加えられた変形例も本発明の範囲にあることは当業者に理解されるところである。
【００６０】
例えば、上述した２つの実施の形態において、統合類似度と副統合類似度を算出して、統合類似度によりフォーマットを絞りきれない場合には副統合類似度を用いて判定する。こうすることによって、入力映像信号のフォーマットの判定をより確実にできる。例えば、統合類似度と副統合類似度のいずれか一方のみを用いて判定するようにしてもよい。
【００６１】
さらに、統合類似度と副統合類似度の優先順位も上述した実施の形態と異なってもよい。たとえば、上記実施の形態に用いられた副統合類似度（一致レベルまたは最小類似度）を統合類似度とし、類似度の重み付け加算値を副統合類似度としてもよい。
【００６２】
また、上述した２つの実施の形態において、特徴情報の種類の例として４つ挙げたが、本発明によるフォーマット判定技術は、必要とされる特徴情報の種類および数は上記にて例挙したものに限られるものではない。
【００６３】
また、例えば同期極性が「正」か「負」の値しかとり得るように、プリセットフォーマットの基準値との差を段階分けすることができず、基準値と一致するか否かの値のみをとり得る特徴情報がある。このような種類の特徴情報がフォーマットを判定するための特徴情報に含まれた場合に本発明を適用する場合には、入力映像信号のこのような特徴情報がプリセットフォーマットの基準値と一致する場合には、最大の類似度（上述した実施の形態の場合には「１１）」を付与する一方、一致しない場合には、最小の類似度（上述した実施の形態の場合には「００」）を付与すればよい。
【００６４】
また、上述した２つの実施の形態において、特徴情報の値を４つの段階に分けているが、段階の数は、４に限られることがない。
【００６５】
また、類似度のビット数も、２ビットに限られることがない。
【図面の簡単な説明】
【００６６】
【図１】本発明の第１の実施の形態にかかる映像再生装置を示す図である。
【図２】図１に示す映像再生装置におけるフォーマット判定部を示す図である。
【図３】図２に示すフォーマット判定部における記憶部により記憶されたデータの態様を示す図である。
【図４】図２に示すフォーマット判定部における類似度付与部を示す図である。
【図５】図４に示す類似度付与部の動作を説明するための図である。
【図６】図２に示すフォーマット判定部における第２の類似度統合部を示す図である。
【図７】図６に示す第２の類似度統合部の出力となる一致レベルを説明するための図である。
【図８】本発明の第２の実施の形態にかかる映像再生装置を示す図である。
【図９】図８に示す映像再生装置におけるフォーマット判定部を示す図である。
【図１０】図９に示すフォーマット判定部における最小類似度選択部を示す図である。
【図１１】図１０に示す最小類似度選択部における小値選択回路を示す図である。
【図１２】従来技術を示す図である。
【符号の説明】
【００６７】
１００  映像再生装置、  １１０  入力部、  １２０  フォーマット判定部、  １３０  記憶部、  １３２  プリセットフォーマット特徴情報、  １３４  重み付け係数、  １４０  特徴情報抽出部、  １５０  類似度付与部、  １５８  付与実行部、  １６０  第１の類似度統合部、  １７０  第２の類似度統合部、１８０  判定実行部、  １９０  再生処理部、  ２００  映像再生装置、  ２２０  フォーマット判定部、  ２７０  最小類似度選択部、２８０  判定実行部。
【図１】
2008107474.tif 000003
【図２】
2008107474.tif 000004
【図３】
2008107474.tif 000005
【図４】
2008107474.tif 000006
【図５】
2008107474.tif 000007
【図６】
2008107474.tif 000008
【図７】
2008107474.tif 000009
【図８】
2008107474.tif 000010
【図９】
2008107474.tif 000011
【図１０】
2008107474.tif 000012
【図１１】
2008107474.tif 000013
【図１２】
2008107474.tif 000014